(57)【特許請求の範囲】
【請求項１】
複数枚の原稿画像を蓄積する記憶手段と、
前記記憶手段に蓄積された複数枚の原稿画像の各々について奇数枚目か偶数枚目かを判定するページ判定手段と、
前記記憶手段に蓄積された複数枚の原稿画像を中綴じ本を作るために並べ替え、前記ページ判定手段で判定された奇数枚目、偶数枚目の所定の２枚を合成する画像合成手段と、
前記ページ判定手段によって判定された奇数枚目か偶数枚目かによって前記画像合成手段で合成された画像内でのスクリーン処理または色補正処理の方法を切り替える切り替え手段と
を備えていることを特徴とする画像処理装置。
【請求項２】
複数枚の原稿画像の各々について奇数枚目か偶数枚目かを判定するページ判定手段と、
前記ページ判定手段によって判定された奇数枚目か偶数枚目かによって前記原稿画像に制御信号を加える付加手段と、
前記付加手段によって制御信号が加えられた複数枚の原稿画像を蓄積する記憶手段と、
前記記憶手段に蓄積された複数枚の原稿画像を中綴じ本を作るために並べ替え、前記ページ判定手段で判定された奇数枚目、偶数枚目の所定の２枚を合成する画像合成手段と、
前記ページ判定手段によって判定された奇数枚目か偶数枚目かによって前記画像合成手段で合成された画像内でのスクリーン処理または色補正処理の方法を前記制御信号により切り替える切り替え手段と
を備えていることを特徴とする画像処理装置。
【発明の詳細な説明】
【０００１】
【発明の属する技術分野】
本発明は、複数枚の原稿画像を取り込んで蓄積し、所定の処理を施して出力する画像処理装置に関する。
【０００２】
【従来の技術】
従来、複写機の機能の一つとして、複数枚の原稿画像を連続して取り込み、これを並び替えて小冊子（中綴じ本）を作るように出力する、いわゆるシグネチャー機能と呼ばれるものがある。
【０００３】
この機能では、出力用紙を半分に折り曲げて中綴じにすると、ちょうど本のようなページ配列となるよう予め読み取った複数枚の原稿の順番を並び替えて出力するようにしている。
【０００４】
また、複写機の機能には、読み取った原稿画像に対してスクリーン切り替え等の後段処理のための制御信号をコード化して原稿画像とともに格納し、読み出し時にこのコードをテーブルにあててデコードし、使用することも行われている。
【０００５】
【発明が解決しようとする課題】
しかしながら、いわゆるシグネチャー機能を用いる場合、１枚の出力用紙に隣り合うように並べられた原稿に付加された制御信号は１つのものとして扱われてしまう。同一の用紙に複数枚の原稿画像が並べられていても、各原稿画像はもともと別の原稿であることから原稿毎に画像処理を施すことが望ましい。このように１枚の出力用紙毎に制御信号が付加されることで、別々の処理を施した方が望ましい画像に対して同じ処理が施されてしまい、所望の画質を得ることができないという問題がある。
【０００６】
【課題を解決するための手段】
本発明は、このような課題を解決するために成された画像処理装置である。すなわち、本発明の画像処理装置は、複数枚の原稿画像を蓄積する記憶手段と、記憶手段に蓄積された複数枚の原稿画像の各々について奇数枚目か偶数枚目かを判定するページ判定手段と、記憶手段に蓄積された複数枚の原稿画像を中綴じ本を作るために並べ替え、ページ判定手段で判定された奇数枚目、偶数枚目の所定の２枚を合成する画像合成手段と、ページ判定手段によって判定された奇数枚目か偶数枚目かによって前記画像合成手段で合成された画像内でのスクリーン処理または色補正処理の方法を切り替える切り替え手段とを備えている。
【０００７】
また、複数枚の原稿画像の各々について奇数枚目か偶数枚目かを判定するページ判定手段と、ページ判定手段によって判定された奇数枚目か偶数枚目かによって原稿画像に制御信号を加える付加手段と、付加手段によって制御信号が加えられた複数枚の原稿画像を蓄積する記憶手段と、記憶手段に蓄積された複数枚の原稿画像を中綴じ本を作るために並べ替え、ページ判定手段で判定された奇数枚目、偶数枚目の所定の２枚を合成する画像合成手段と、ページ判定手段によって判定された奇数枚目か偶数枚目かによって画像合成手段で合成された画像内でのスクリーン処理または色補正処理の方法を制御信号により切り替える切り替え手段とを備えている画像処理装置でもある。
【０００８】
このような本発明では、複数枚の原稿画像の各々について奇数枚目か偶数枚目かを判定しており、この判定された奇数枚目か偶数枚目かによって原稿画像に異なる制御信号を付加している。これにより、画像合成手段で合成された同一の出力用紙に並べられる複数枚の原稿画像の奇数、偶数に応じて異なる画像処理を施すことができるようになる。
【０００９】
【発明の実施の形態】
以下、本発明の画像処理装置における実施の形態を図に基づいて説明する。図１は、本実施形態に係る画像処理装置を説明する概略構成図である。すなわち、この画像処理装置は、主として画像読取部１、画像処理部２、画像メモリ部３、画像記録部４、制御部５から構成される。
【００１０】
画像読取部１は、原稿画像を走査して画像データを取り込む部分である。なお、この原稿画像を走査して画像データを取り込む他、外部のコンピュータ等から伝送された画像データを受け取るようにしてもよい。
【００１１】
画像処理部２は、画像読取部１で取り込んだ画像データに対して所定の処理を施す部分である。例えば、色空間変換、フィルタ処理、γ補正や階調補正、解像度変換等の処理を行う部分である。
【００１２】
画像メモリ部３は、複数枚の原稿の画像データを圧縮して蓄積できる容量を持ったもので、例えば、ハードディスクが設けられている。画像記録部４は、画像処理部３で画像処理が施された画像データを受けて、これに基づく画像を用紙等の媒体へ記録する部分である。制御部５は、画像読取部１、画像処理部２、画像メモリ部３および画像記録部４の動作を制御する部分である。また、制御部５によって、読み取った原稿が奇数枚目であるか偶数枚目であるかを判定し、各部へその情報を送るようにしている。
【００１３】
ここで、本実施形態の画像処理装置にて行う、いわゆるシグネチャー機能について説明する。このシグネチャー機能とは、複数枚の原稿画像を連続して取り込み、これを並び替えて小冊子（中綴じ本）を作るように出力するものである。
【００１４】
図２はシグネチャー機能を説明する模式図である。例えば、複数枚の原稿があり、これを中綴じの小冊子にしたい場合、シグネチャー機能によって原稿の複写を行う。この場合、１枚の出力用紙の表裏を用いて４枚分の原稿出力を行う。例えば、１２枚の原稿があるとすると、１枚目の出力用紙には、表側に１枚目と１２枚目の原稿画像を隣り合わせて出力し、裏側には２枚目と１１枚目の原稿画像を隣り合わせて出力する。
【００１５】
また、２枚目の出力用紙には、表側に３枚目と１０枚目の原稿画像を隣り合わせて出力し、裏側には４枚目と９枚目の原稿画像を隣り合わせて出力する。さらに、３枚目の出力用紙には、表側に５枚目と８枚目の原稿画像を隣り合わせて出力し、裏側には６枚目と７枚目の原稿画像を隣り合わせて出力する。
【００１６】
図３は、各出力用紙への画像形成状態を説明する模式図である。このように１２枚の原稿の画像をシグネチャー機能によって出力する場合、予め１２枚全ての原稿の画像を取り込んで画像メモリ部に蓄積しておき、中綴じする際にページが合うよう順番を入れ替えて用紙に出力する。
【００１７】
本実施形態の画像処理装置では、このようなシグネチャー機能を用いた画像形成の際、同じ出力用紙に形成される奇数枚目の原稿と偶数枚目の原稿とで画像処理条件を切り替える点に特徴がある。
【００１８】
次に、本実施形態の画像処理装置における構成の詳細を説明する。図４は本実施形態の画像処理装置の詳細を説明する構成図である。画像読取部１は、スキャナ１１と一次元縮拡部１２とから構成される。スキャナ１１では、原稿の画像をライン単位で読み取って出力するとともに走査を行い原稿の画像データを取り込む。一次元縮拡部１２では、スキャナ１１からライン単位で出力される画像データを縮小（または拡大）する処理を行う。
【００１９】
画像処理部２は、メモリコントローラ２１、ページメモリ２２、第１色空間変換部２３、画像編集部２４、第２色空間変換部２５、一次元縮拡部２６、フィルタ２７および解像度変換部２８から構成される。
【００２０】
メモリコントローラ２１は、画像読取部１から出力される画像データをページメモリ２２に書き込んだり、ページメモリ２２から画像データを読み出したりする制御を行う。ページメモリ２２は、１ページ分の原稿における画像データを一時格納する記憶部分である。
【００２１】
第１色空間変換部２３は、例えばＲＧＢ色空間から成る画像データをＬ*ａ*ｂ*色空間から成る画像データに変換する処理を行う。画像編集部２４は、画像データに対する所定の処理に応じたコード（以下、「制御コード」と言う。）を画像データに付加する部分である。
【００２２】
第２色空間変換部２５は、例えばＬ*ａ*ｂ*色空間から成る画像データをＹＭＣＫ色空間から成る画像データに変換する処理を行う。一次元縮拡部２６は、主走査方向の縮拡を行う。フィルタ２７は、画像データに対するγ補正処理等を施す部分である。また、解像度変換部２８は、画像記録部での画像形成解像度に合わせて画像データの解像度を変換する処理を行う。
【００２３】
なお、画像記録部の画像形成部分（図示せず）がＹＭＣＫ各色データに対応して各々設けられている場合には、第２色空間変換部２５、一次元縮拡部２６およびフィルタ２７としてＹＭＣＫ各色データに対応するよう並列に設けるようにする。
【００２４】
画像メモリ部３は、圧縮部３１、ハードディスク３２、合成部３３およびフィルタ３４から構成されている。圧縮部３１は、画像データを格納するにあたり所定の圧縮方式でデータ圧縮する部分である。ハードディスク３２は、複数枚の原稿の画像データを蓄積できる記憶部分である。合成部３３は、シグネチャー機能で画像形成を行う場合に、並べ替えられた画像データを合成する部分である。フィルタ３４は、合成後の画像データに対して所定の画像処理を施す部分である。
【００２５】
次に、本実施形態の画像処理装置における動作を説明する。先ず、画像読取部１のスキャナ１１で複数枚の原稿の画像を読み取る。一次元縮拡部１２では、ライン単位で画像データを縮小し、メモリコントローラ２１へ送る。メモリコントローラ２１はライン単位で送られる縮小された画像データを所定角度回転させてページメモリ２２に格納していく。すなわち、一次元縮拡部１２で縮拡するときは９０°又は２７０°回転させ、縮拡しないときはそのまま又は１８０°回転させて格納する。
【００２６】
ページメモリ２２に格納された１ページ分の画像データは第１色空間変換部２３によってＲＧＢ色空間からＬ*ａ*ｂ*色空間へ変換され、画像編集部２４へ送られる。画像編集部２４は、画像データを受けるとともに、この画像データに施す画像処理と対応した制御コードを付加する。
【００２７】
次に、第２色空間変換部２５ではＬ*ａ*ｂ*色空間から成る画像データをＹＭＣＫ色空間に変換する。その後、一次元縮拡部２６で画像の縮小処理を行い、フィルタ２７によってγ補正等の処理を施す。
【００２８】
次いで、画像メモリ部３の圧縮部３１でフィルタリング後の画像データを圧縮し、ハードディスク３２に格納する。なお、圧縮部３１で画像データを圧縮する前に、画像データが奇数枚目か偶数枚目かによって、付加されている制御コードの切り替えを行う。例えば、原稿の画像データが偶数枚目であった場合、制御コードの最下位ビット（もしくは最上位ビット）を「０」にし、原稿の画像データが奇数枚目であった場合、制御コードの最下位ビット（もしくは最上位ビット）を「１」にする。
【００２９】
ハードディスク３２には、複数枚分の画像データが蓄積される。その後、合成部３３では、シグネチャー機能に対応して原稿の画像データの順番を入れ替えた状態でハードディスク３２から読み出された画像データを合成する。
【００３０】
次に、フィルタ３４では、合成部３３で合成された画像データを受けて、その画像データに付加された制御コードに基づきスクリーン処理、色補正処理等を施す。すなわち、合成された画像データのうち、元の原稿が奇数枚目か偶数枚目かによって制御コードが切り替わることから、これらの制御コードを予め設定されたＲＡＭテーブルのアドレスに突き当てて、その結果得られる情報によって各々別個のスクリーン処理、色補正処理等を施すことが可能となる。
【００３１】
そして、解像度変換部２８で画像記録部に合った解像度に変換され出力されることになる。
【００３２】
次に、制御コードの切り替えについて説明する。図５は、制御コードの切り替え回路を説明する図である。ここでは、制御コードＡＣＭＤは４ビットから成るものとする。この切り替え回路は画像メモリ部３内の圧縮部３１手前に設けられている。
【００３３】
４ビットの制御コードＡＣＭＤ［３：０］は途中で上位３ビットの制御コードＡＣＭＤ［３：１］と最下位１ビットの制御コードＡＣＭＤ０とに分岐され、最下位１ビットのみセレクタの一方（端子０側）へ入力される。
【００３４】
また、セレクタの他方（端子１側）にはＰＩＯから信号が入力される。このＰＩＯからは、原稿が偶数枚目の時「０」、奇数枚目の時「１」が出力される。
【００３５】
ここで、通常コピー（シグネチャー以外）の場合は、セレクタへの切り替え信号Ｓｅｌが「０」となり、セレクタの端子０が選択される。これにより、最下位１ビットの制御コードＡＣＭＤ０がそのままセレクタから出力され、後段で上位３ビットの制御コードＡＣＭＤ［３：１］と合わされる。つまり、入力された４ビットの制御コードＡＣＭＤ［３：０］と同じ制御コードがＡＣＭＤ’［３：０］として出力される。
【００３６】
一方、シグネチャー機能の場合は、セレクタへの切り替え信号Ｓｅｌが「１」となり、セレクタの端子１が選択される。これにより、ＰＩＯの出力がセレクタの出力となる。この場合、原稿が偶数枚目の時にはＰＩＯが「０」となることから、セレクタから「０」が出力され、奇数枚目の時にはＰＩＯが「１」となることから、セレクタから「１」が出力され、後段で上位３ビットの制御コードＡＣＭＤ［３：１］と合わされる。つまり、入力された４ビットの制御コードＡＣＭＤ［３：０］は、原稿が偶数枚目の時には最下位ビットが「０」の制御コードＡＣＭＤ’［３：０］として出力され、原稿が奇数枚目の時には最下位ビットが「１」の制御コードＡＣＭＤ’［３：０］として出力される。
【００３７】
図６は、ＲＡＭテーブルの例を説明する図である。ＲＡＭテーブルは画像メモリ部のフィルタ３４（図４参照）内に設けられているもので、制御コードＡＣＭＤと画像処理に必要なスクリーン切り替えのためのデータや階調変換のためのデータなどの画像処理データとを対応付けたテーブルである。
【００３８】
本実施形態では、１６進で制御コードＡＣＭＤ「０」に原稿の偶数枚目の画像処理データが設定され、同制御コードＡＣＭＤ「１」に原稿の奇数枚目の画像処理データが設定されている。先に説明した切り替え回路によって、同一の出力用紙に形成される原稿のうち偶数枚目／奇数枚目によって異なる制御コードＡＣＭＤが付加されるため、フィルタ３４で行う画像処理は、各々異なる制御コードＡＣＭＤをこのＲＡＭテーブルに突き当てて得られる画像処理データが選択され、これによって各々異なる画像処理を施すことができるようになる。
【００３９】
なお、ここでは切り替え回路によって制御コードＡＣＭＤの最下位ビットを原稿の偶数／奇数で切り替えるようにしたが、最上位ビットを切り替えるように構成してもよい。
【００４０】
また、制御コードＡＣＭＤおよびＲＡＭテーブルは画像形成時に行う種々のオプション編集に対応できるよう用意されている。例えば、４ビットの制御コードＡＣＭＤでは１６種類のコードを設定できる。上記説明した例では、主としてオプション編集無しの場合を想定しており、この場合、１６種類の制御コードＡＣＭＤのうち１６進で「０」、同「１」に原稿の偶数、奇数を各々割り当てている。
【００４１】
オプション編集ありの場合、本実施形態では、他の制御コードＡＣＭＤを原稿の偶数／奇数に対応させるため、偶数／奇数に関係なく、制御コードＡＣＭＤのうち１６進で、「０」「２」「４」「６」「８」「Ａ」「Ｃ」「Ｅ」に割り振り、図５に示す切り替え回路で制御されて以下のような割り振りに変換される。
【００４２】
原稿が偶数枚目の場合…制御コードＡＣＭＤのうち１６進で「０」「２」「４」「６」「８」「Ａ」「Ｃ」「Ｅ」
原稿が奇数枚目の場合…制御コードＡＣＭＤのうち１６進で「１」「３」「５」「７」「９」「Ｂ」「Ｄ」「Ｆ」
【００４３】
このような割り振りに合わせてＲＡＭテーブルを設定しておくことで、先に説明した切り替え回路を用いてオプション編集ありの場合の奇数／偶数枚目による制御コードＡＣＭＤの切り替えも行うことが可能となる。
【００４４】
なお、本実施形態では、図５に示す切り替え回路を画像メモリ部３に備える例を説明したが、画像処理部２に備えるようにしてもよい。この場合、画像メモリ部３のハードディスク３２に画像データを格納する前に原稿の奇数／偶数に対応した制御コードの切り替えを行うようにすればよい。
【００４５】
【発明の効果】
以上説明したように、本発明の画像処理装置によれば次のような効果がある。すなわち、複数枚の原稿から中綴じ本を作成する場合のいわゆるシグネチャー機能を用いる場合でも、同一の出力用紙で同じ画像処理が施されてしまうことがなくなり、元の原稿の奇数／偶数枚目で画像処理を切り替えることが可能となる。これにより、例えば奇数枚目に文書、偶数枚目に写真が配列された小冊子を作成する場合など、各々の画像に適した処理を施すことが可能となる。
【図面の簡単な説明】
【図１】  本実施形態に係る画像処理装置を説明する概略構成図である。
【図２】  シグネチャー機能を説明する模式図である。
【図３】  各出力用紙への画像形成状態を説明する模式図である。
【図４】  本実施形態の画像処理装置の詳細を説明する構成図である。
【図５】  制御コードの切り替え回路を説明する図である。
【図６】  ＲＡＭテーブルの例を説明する図である。
【符号の説明】
１…画像読取部、２…画像処理部、３…画像メモリ部、４…画像記録部、１１…スキャナ、１２…一次元縮拡部、２１…メモリコントローラ、２２…ページメモリ、２３…第１色空間変換部、２４…画像編集部、２５…第２色空間変換部、２６…一次元縮拡部、２７…フィルタ、２８…解像度変換部、３１…圧縮部、３２…ハードディスク、３３…合成部、３４…フィルタ
【図１】
0003817998.tif 000002
【図２】
0003817998.tif 000003
【図３】
0003817998.tif 000004
【図４】
0003817998.tif 000005
【図５】
0003817998.tif 000006
【図６】
0003817998.tif 000007